(57)【要約】【課題】施設を表示する条件をユーザが設定することにより、ユーザが所望する施設のみを表示できる施設情報提供装置を提供することを目的とする。【解決手段】施設を表す施設情報を取得する施設情報取得手段１１と、表示制御の対象とする施設およびその表示期間を設定する施設表示期間設定手段１２と、年月日、時刻および曜日を計時する計時手段１４と、施設情報取得手段で取得された施設情報が、施設表示期間設定手段で設定された施設に対応し、且つ計時手段から取得した年月日、時刻および曜日が施設表示期間設定手段で設定された施設の表示期間内である場合に、該施設情報に基づく施設を表示するための表示情報を生成するシステム制御手段１５と、システム制御手段で生成された表示情報に基づき施設を表示する施設情報表示手段１６とを備えている。【選択図】図１
2007128344.tif 000002
【特許請求の範囲】
【請求項１】
施設を表す施設情報を取得する施設情報取得手段と、
表示制御の対象とする施設およびその表示期間を設定する施設表示期間設定手段と、
年月日、時刻および曜日を計時する計時手段と、
前記施設情報取得手段で取得された施設情報が、前記施設表示期間設定手段で設定された施設に対応し、且つ前記計時手段から取得した年月日、時刻および曜日が前記施設表示期間設定手段で設定された施設の表示期間内である場合に、該施設情報に基づく施設を表示するための表示情報を生成するシステム制御手段と、
前記システム制御手段で生成された表示情報に基づき施設を表示する施設情報表示手段とを備えた施設情報提供装置。
【請求項２】
施設情報取得手段で取得される施設情報に含まれる営業時間を取得する施設営業時間取得手段を備え、
システム制御手段は、施設情報取得手段で取得された施設情報が、施設表示期間設定手段で設定された施設に対応し、且つ計時手段から取得した年、月、日、時刻および曜日が施設表示期間設定手段で設定された表示期間内であり、且つ前記施設営業時間取得手段で取得された営業時間内であることを示している場合に、該施設情報に対応する施設を表示するための表示情報を生成する
ことを特徴とする請求項１記載の施設情報提供装置。
【請求項３】
施設表示期間設定手段で設定された施設およびその表示期間を利用するか否かを切り替える切替手段
を備えたことを特徴とする請求項１または請求項２記載の施設情報提供装置。
【請求項４】
施設表示期間設定手段で設定される表示期間として、年、月、日、時間帯、曜日および季節の少なくとも１つが用いられる
ことを特徴とする請求項１または請求項２記載の施設情報提供装置。
【請求項５】
施設表示期間設定手段は、施設毎または施設の種別毎に表示期間を設定する
ことを特徴とする請求項１または請求項２記載の施設情報提供装置。
【請求項６】
施設を表す施設情報を取得する施設情報取得手段と、
表示制御の対象とする施設およびそれが表示されるための気象条件を設定する施設気象条件設定手段と、
気象情報を取得する気象情報取得手段と、
前記施設情報取得手段で取得された施設情報が、前記施設気象条件設定手段で設定された施設に対応し、且つ前記気象情報取得手段から取得した気象情報が前記施設気象条件設定手段で設定された気象条件に合致する場合に、該施設情報に基づく施設を表示するための表示情報を生成するシステム制御手段と、
前記システム制御手段で生成された表示情報に基づき施設を表示する施設情報表示手段とを備えた施設情報提供装置。
【請求項７】
表示制御の対象とする施設およびそれが表示されるための気象条件を設定する施設気象条件設定手段と、
気象情報を取得する気象情報取得手段とを備え、
システム制御手段は、
施設情報取得手段で取得された施設情報が、施設表示期間設定手段で設定された施設に対応し、且つ計時手段から取得した年月日、時刻および曜日が前記施設表示期間設定手段で設定された施設の表示期間内である場合、および、前記施設情報取得手段で取得された施設情報が、前記施設気象条件設定手段で設定された施設に対応し、且つ前記気象情報取得手段から取得した気象情報が前記施設気象条件設定手段で設定された気象条件に合致する場合に、該施設情報に基づく施設を表示するための表示情報を生成する
ことを特徴とする請求項１記載の施設情報提供装置。
【請求項８】
表示制御の対象とする施設およびそれが表示されるための気象条件を設定する施設気象条件設定手段と、
気象情報を取得する気象情報取得手段とを備え、
システム制御手段は、
施設情報取得手段で取得された施設情報が、施設表示期間設定手段で設定された施設に対応し、且つ計時手段から取得した年、月、日、時刻および曜日が施設表示期間設定手段で設定された表示期間内であり、且つ施設営業時間取得手段で取得された営業時間内であることを示している場合、および、前記施設情報取得手段で取得された施設情報が、前記施設気象条件設定手段で設定された施設に対応し、且つ前記気象情報取得手段から取得した気象情報が前記施設気象条件設定手段で設定された気象条件に合致する場合に、該施設情報に基づく施設を表示するための表示情報を生成する
ことを特徴とする請求項２記載の施設情報提供装置。
【発明の詳細な説明】
【技術分野】
【０００１】
この発明は、ユーザに施設を表す施設情報を提供する施設情報提供装置に関し、特に、ユーザが所望する施設情報を選択的に提供する技術に関する。
【背景技術】
【０００２】
従来、例えばカーナビゲーション装置、パーソナルコンピュータまたは携帯電話などに搭載されて、予め用意された地図データに基づいて地図を表示する地図表示装置が知られている。このような地図表示装置は、一般に、地図データと一緒に格納されている施設データに基づいて、地図上に施設を表すマーク（例えばアイコン）を重ねて表示する施設情報提供機能を有する。
【０００３】
このような施設情報提供機能を有する施設情報提供装置として、例えば特許文献１は、地図上に表示されている施設のうち、営業時間外の施設を営業中の施設と区別して表示することにより、ユーザにその施設が営業時間外であることを知らせる走行位置表示装置を開示している。この走行位置表示装置は、液晶ディスプレイに表示される地図データ上で、施設に対し営業時間内であるか否かをＣＰＵにより判定し、営業時間内と判定された施設は、通常通りに表示し、営業時間外であると判定された施設を、トーンダウンして表示する。
【０００４】
【特許文献１】特開平０９−１３３５４３号公報
【発明の開示】
【発明が解決しようとする課題】
【０００５】
しかしながら、上述した特許文献１に開示された施設情報提供装置は、営業時間外の施設を営業中の施設と区別して表示することによりユーザにその施設が営業時間外であることを知らせることはできるが、ユーザが所望しない施設まで表示されるので、１つの画面中に多数の施設が表示される場合がある。このような場合は、表示内容が煩雑になり見にくいという問題がある。
【０００６】
そこで、ユーザが年月日、時間帯、曜日、季節などによって施設を表示または非表示とすることができる施設情報提供装置の開発が望まれている。また、気象状態によっては利用できない施設、例えば積雪が少なくて滑ることが不可能なスキー場といった施設も一律に表示されるので、ユーザは、その施設が使用できるかどうかはその施設に到着するまで判断することができず、改善が望まれている。
【０００７】
この発明は、上述した問題を解決するためになされたものであり、施設を表示する条件をユーザが設定することにより、ユーザが所望する施設のみを表示できる施設情報提供装置を提供することを目的とする。
【課題を解決するための手段】
【０００８】
上記課題を達成するために、この発明に係る施設情報提供装置は、施設を表す施設情報を取得する施設情報取得手段と、表示制御の対象とする施設およびその表示期間を設定する施設表示期間設定手段と、年月日、時刻および曜日を計時する計時手段と、施設情報取得手段で取得された施設情報が、施設表示期間設定手段で設定された施設に対応し、且つ計時手段から取得した年月日、時刻および曜日が施設表示期間設定手段で設定された施設の表示期間内である場合に、該施設情報に基づく施設を表示するための表示情報を生成するシステム制御手段と、システム制御手段で生成された表示情報に基づき施設を表示する施設情報表示手段とを備えている。
【０００９】
また、この発明は、施設を表す施設情報を取得する施設情報取得手段と、表示制御の対象とする施設およびそれが表示されるための気象条件を設定する施設気象条件設定手段と、気象情報を取得する気象情報取得手段と、施設情報取得手段で取得された施設情報が、施設気象条件設定手段で設定された施設に対応し、且つ気象情報取得手段から取得した気象情報が施設気象条件設定手段で設定された気象条件に合致する場合に、該施設情報に基づく施設を表示するための表示情報を生成するシステム制御手段と、システム制御手段で生成された表示情報に基づき施設を表示する施設情報表示手段とを備えている。
【発明の効果】
【００１０】
この発明に係る施設情報提供装置によれば、ユーザは、表示条件を設定することによって表示させる施設を変更できるので、ユーザが所望する施設のみを選択的に表示できる。その結果、すべての施設が表示されることによって表示内容が煩雑になるという問題を解消できる。
【００１１】
この発明に係る施設情報提供装置によれば、ユーザは、気象条件を設定することによって表示させる施設を変更できるので、ユーザが所望する施設のみを選択的に表示できる。その結果、すべての施設が表示されることによって表示内容が煩雑になるという問題を解消できる。
【発明を実施するための最良の形態】
【００１２】
以下、この発明の実施の形態を、図面を参照しながら詳細に説明する。
実施の形態１．
図１は、この発明の実施の形態１に係る施設情報提供装置の機能的な構成を示すブロック図である。この施設情報提供装置は、施設情報取得手段１１、施設表示期間設定手段１２、切替手段１３、計時手段１４、システム制御手段１５および施設情報表示手段１６から構成されている。
【００１３】
施設情報取得手段１１は、例えばハードディスク（Hard disk）やＤＶＤ（Digital Versatile Disk）といった記憶媒体のドライブ装置や通信回線を介して接続されたセンタ装置（いずれも図示は省略する）から地図データに含まれる施設データ、つまり施設を表す施設情報を取得する。この施設情報取得手段１１で取得された施設データは、システム制御手段１５に送られる。
【００１４】
施設表示期間設定手段１２は、ユーザが、表示制御の対象とする施設およびその施設を表示させる期間（以下、「表示期間」という）を設定するために使用される。施設表示期間設定手段１２は、施設毎または施設の種別毎に、表示制御の対象とする施設を設定することができる。また、表示期間は、年、月、日、時間帯および曜日によって指定する。この場合、年、月、日、時間帯および曜日のすべてを設定する必要はなく、これらの中の１つ、または２つ以上を組み合わせて設定できる。なお、表示期間として、さらに、例えば春夏秋冬といった季節を設定するように構成することもできる。この施設表示期間設定手段１２によって設定された施設および表示期間を表すデータは、切替手段１３を介して、システム制御手段１５に送られる。
【００１５】
切替手段１３は、ユーザの操作に応じて開閉し、施設表示期間設定手段１２から送られてくる施設および表示期間を表すデータをシステム制御手段１５に送るかどうかを切り替える。計時手段１４は計時を行って年、月、日、時刻および曜日を表すデータを生成する。この計時手段１４で生成された年、月、日、時刻および曜日を表すデータは、システム制御手段１５に送られる。
【００１６】
システム制御手段１５は、切替手段１３が閉成されている場合は、施設情報取得手段１１から施設データを入力し、施設表示期間設定手段１２から切替手段１３を介して施設および表示期間を表すデータを入力する。そして、施設情報取得手段１１から入力された施設データが施設表示期間設定手段１２に設定されている施設に対応する場合は、計時手段１４から取得した年、月、日、時刻および曜日が施設表示期間設定手段１２によって設定された施設の表示期間内であれば、施設情報取得手段１１から入力された施設データに対応する施設を例えばアイコンによって表示するための表示情報を生成する。このシステム制御手段１５で生成された表示情報は、施設情報表示手段１６に送られる。
【００１７】
なお、切替手段１３が開放されている場合は、システム制御手段１５は、施設表示期間設定手段１２から施設および表示期間を表すデータが得られないので、計時手段１４から取得した年、月、日、時刻および曜日を表すデータの有無に拘わらず、施設情報取得手段１１から入力し施設データに基づいて、施設をアイコンによって表示するための表示情報を生成する。したがって、切替手段１３が開放されている場合は、施設は表示制御の対象とならず、従来の施設情報提供装置と同様の動作が行われる。この構成によれば、ユーザが切替手段１３を操作して切り替えることにより、施設を表示条件にしたがって制限して表示する場合と、従来のように全ての施設を無条件で表示することをワンタッチで切り替えることができる。このシステム制御手段１５で生成された表示情報は、施設情報表示手段１６に送られる。
【００１８】
施設情報表示手段１６は、システム制御手段１５から送られてくる表示情報に応じて、地図上に施設を表すアイコンを重ねて表示する。
【００１９】
次に、図１に示した施設情報提供装置を実現するためのハードウェア構成を、図２に示すブロック図を参照しながら説明する。この施設情報提供装置は、記憶装置１００、入力装置１０１、時計機構１０２、演算装置１０３、メインメモリ１０４および出力装置１０５から構成されている。
【００２０】
記憶装置１００は、例えばハードディスクやＤＶＤといった記憶媒体のドライブ装置から構成されており、地図データおよび施設データを記憶する。この記憶装置１００に記憶されている施設データは、演算装置１０３によって読み出される。図１に示す施設情報取得手段１１は、記憶手段１００と演算装置１０３において実行される処理とによって構成されている。
【００２１】
入力装置１０１は、例えばユーザ操作の入力を受付けるためのボタン、タッチパネルまたはリモートコントローラなどから構成されている。この入力装置１０１から入力されたデータは、演算装置１０３に送られる。図１に示す施設表示期間設定手段１２および切替手段１３は、入力装置１０１と演算装置１０３において実行される処理とによって構成されている。
【００２２】
時計機構１０２は、図１に示す計時手段１４に対応し、常に計時を行って年、月、日、時刻および曜日を表すデータを生成する。この時計機構１０２において生成された年、月、日、時刻および曜日を表すデータは、演算装置１０３に送られる。
【００２３】
演算装置１０３は、メインメモリ１０４をワーキングエリアとして種々の処理を実行する。例えば、演算装置１０３は、記憶装置１００から施設データを入力し、入力装置１０１から施設および表示期間を表すデータを入力する。そして、記憶装置１００から入力された施設データが入力装置１０１から設定された施設に対応する場合は、時計機構１０２から取得した年、月、日、時刻および曜日を表すデータが、入力装置１０１から設定された施設の表示期間内であるかどうかを調べ、表示期間内であれば、入力された施設データに対応する施設を例えばアイコンで表示するための表示情報を生成する。図１に示すシステム制御手段１５は、演算装置１０３およびメインメモリ１０４から構成されている。この演算装置１０３で生成された表示情報は、出力装置１０５に送られる。
【００２４】
出力装置１０５は、例えばディスプレイ装置から構成されており、演算装置１０３から送られてくる表示情報にしたがって、地図上に施設を表すアイコンを重ねて表示する。図１に示す施設情報表示手段１６は、出力装置１０５と演算装置１０３において実行される処理とにより構成されている。
【００２５】
次に、上記のように構成される、この発明の実施の形態１に係る施設情報提供装置において実行される施設情報提供処理を、図３に示すフローチャートを参照しながら説明する。なお、以下では、ユーザが表示条件として「時間帯」を設定して施設の表示または非表示を制御する場合を例に挙げて説明する。また、切替手段１３は閉成されており、施設表示期間設定手段１２とシステム制御手段１５との間は接続されているものとする。
【００２６】
施設情報提供処理では、まず、表示条件の設定が行われる（ステップＳＴ１１）。すなわち、施設表示期間設定手段１２は、ユーザの操作に応じて、表示制御の対象とする施設と、その施設の表示期間を表すデータを生成し、切替手段１３を経由してシステム制御手段１５に送る。これにより、システム制御手段１５の内部に、施設およびその施設の表示期間が設定される。このステップＳＴ１１では、例えば、ユーザは、表示制御の対象とする施設として「施設Ａ」、この施設Ａの表示期間として「１０：００〜１２：００」を設定し、また、表示制御の対象とする他の施設として「施設Ｂ」、この施設Ｂの表示期間として「１１：００〜１３：００」を設定する。
【００２７】
次いで、年月日時刻曜日検出が行われる（ステップＳＴ１２）。すなわち、システム制御手段１５は、計時手段１４から、その時点の年、月、日、時刻および曜日を表すデータを取得する。次いで、施設データが取得される（ステップＳＴ１３）。すなわち、システム制御手段１５は、施設情報表示手段１６に表示しようとする範囲の地図に含まれる施設を表す施設データを施設情報取得手段１１から取得し、その内部、具体的にはメインメモリ１０４に格納する。
【００２８】
なお、システム制御手段１５が取得する施設データは、施設情報表示手段１６に表示しようとする範囲の施設データに限らず、さらに広い範囲の施設データとするように構成することもできる。この構成によれば、施設情報表示手段１６に表示する地図の範囲が変更された場合に、施設データを再び取得する必要がないので、処理の迅速化を図ることができる。
【００２９】
次いで、ステップＳＴ１３で取得された施設データによって表される施設が表示されるべき施設であるかどうかが調べられる（ステップＳＴ１４）。具体的には、システム制御手段１５は、メインメモリ１０４に格納されている施設データを取り出し、この取り出した施設データが、ステップＳＴ１１において設定された施設に該当するかどうかを調べる。そして、該当することを判断した場合は、計時手段１４から年、月、日、時刻および曜日を表すデータを取得し、この取得したデータによって示される年、月、日、時刻および曜日が、ステップＳＴ１１で設定された表示期間内であるかどうかを調べる。
【００３０】
上記ステップＳＴ１４において、表示すべき施設であることが判断されると、施設表示情報フラグがＯＮに設定される（ステップＳＴ１５）。すなわち、システム制御手段１５は、表示すべき施設であると判断した施設データに対応付けてメインメモリ１０４に設けられている施設表示情報フラグをＯＮにする。一方、上記ステップＳＴ１４において、表示すべき施設でないことが判断されると、施設表示情報フラグがＯＦＦに設定される（ステップＳＴ１６）。すなわち、システム制御手段１５は、表示すべき施設でないと判断した施設データに対応付けてメインメモリ１０４に設けられている施設表示情報フラグをＯＦＦにする。上述したステップＳＴ１４〜ＳＴ１６の処理は、ステップＳＴ１３で取得された全ての施設データに対して行われる。
【００３１】
次いで、施設情報が出力される（ステップＳＴ１７）。すなわち、システム制御手段１５は、メインメモリ１０４から施設表示情報フラグがＯＮにされている施設データを取り出して表示情報に変換し、施設情報表示手段１６に送る。これにより、施設情報表示手段１６の画面に、ステップＳＴ１１で設定された表示条件を満足する施設のアイコンのみが地図上に重ねて表示される。
【００３２】
例えば、表示条件として、上述したように、「施設Ａ」の表示期間が「１０：００〜１２：００」、「施設Ｂ」の表示期間が「１１：００〜１３：００」に設定されているとすると、計時手段１４から取得された時刻が１１：３０であれば、図４（ａ）に示すように、施設Ａおよび施設Ｂの全てが表示され、時刻が１０：３０であれば、図４（ｂ）に示すように、施設Ａのみが表示され、時刻が１２：３０であれば、図４（ｃ）に示すように、施設Ｂのみが表示されるというように、時間帯に応じて異なる施設が表示される。
【００３３】
以上説明したように、この発明の実施の形態１に係る施設情報提供装置によれば、ユーザは、表示条件を設定することによって表示させる施設を変更できるので、ユーザが所望する施設のみを選択的に表示させることができる。その結果、すべての施設が表示されることによって表示内容が煩雑になるという問題を解消できる。
【００３４】
また、実施の形態１に係る施設情報提供装置によれば、例えば万国博覧会などといった期間限定で施設が開放される場合は、その限定された期間を施設表示期間設定手段１２によって設定することにより、施設が開放されているときのみ、その施設を表示させることができる。
【００３５】
実施の形態２．
この発明の実施の形態２に係る施設情報提供装置は、実施の形態１に係る施設情報提供装置において、ユーザが設定した表示条件を満足する施設のうち、さらに営業時間中の施設のみを表示するようにしたものである。
【００３６】
図５は、この発明の実施の形態２に係る施設情報提供装置の機能的な構成を示すブロック図である。この施設情報提供装置は、実施の形態１に係る施設情報提供装置に、施設営業時間取得手段１７が追加されて構成されている。施設営業時間取得手段１７は、施設データの中から営業時間データを取得する。この施設営業時間取得手段１７で取得された営業時間データは、システム制御手段１５に送られる。
【００３７】
次に、上記のように構成される、この発明の実施の形態２に係る施設情報提供装置において実行される施設情報提供処理を、図６に示すフローチャートを参照しながら説明する。なお、以下では、ユーザが表示条件として「時間帯」を設定して施設の表示または非表示を制御する場合を例に挙げて説明する。また、実施の形態１に係る施設情報提供装置で実行される施設情報提供処理（図３のフローチャートを参照）と同じ処理ステップには、同一の符号を付して説明を簡略化する。
【００３８】
施設情報提供処理では、まず、表示条件の設定が行われる（ステップＳＴ１１）。例えば、ユーザは、実施の形態１の場合と同様に、表示制御の対象とする施設として「施設Ａ」、この施設Ａの表示期間として「１０：００〜１２：００」を設定し、表示制御の対象とする他の施設として「施設Ｂ」、この施設Ｂの表示期間として「１１：００〜１３：００」を設定する。
【００３９】
次いで、年月日時刻曜日検出が行われる（ステップＳＴ１２）。次いで、施設データが取得される（ステップＳＴ１３）。このステップＳＴ１３で取得された施設データは、システム制御手段１５の内部、具体的にはメインメモリ１０４に格納される。次いで、営業時間データが取得される（ステップＳＴ２１）。すなわち、施設営業時間取得手段１７は、ステップＳＴ１３において取得された施設データの中から、営業時間データを取得する。この施設営業時間取得手段１７において取得された営業時間データはシステム制御手段１５に送られ、その内部、具体的には、メインメモリ１０４に格納される。
【００４０】
次いで、ステップＳＴ１３で取得された施設データによって表される施設が表示されるべき施設であるかどうかが調べられる（ステップＳＴ１４）。このステップＳＴ１４において、表示すべき施設であることが判断されると、次いで、その施設が営業時間中であるかどうかが調べられる（ステップＳＴ２２）。すなわち、システム制御手段１５は、計時手段１４から年、月、日、時刻および曜日を表すデータを取得し、この取得したデータによって示される年、月、日、時刻および曜日が、施設営業時間取得手段１７から取得した営業時間データによって示される営業時間中であるかどうかを調べる。
【００４１】
上記ステップＳＴ２２において、営業時間中であることが判断されると、施設表示情報フラグがＯＮに設定される（ステップＳＴ１５）。一方、上記ステップＳＴ１４において、表示すべき施設でないことが判断された場合、および、ステップＳＴ２２において営業時間中でないことが判断された場合は、施設表示情報フラグがＯＦＦに設定される（ステップＳＴ１６）。その後、施設情報が出力される（ステップＳＴ１７）。これにより、施設情報表示手段１６の画面に、ステップＳＴ１１で設定された表示条件を満足し、且つ営業時間中の施設のアイコンのみが地図上に重ねて表示される。
【００４２】
例えば、表示条件として、上述したように、「施設Ａ」の表示期間が「１０：００〜１２：００」、「施設Ｂ」の表示期間が「１１：００〜１３：００」に設定されており、施設Ａの中の店舗３１および店舗３２（図７参照）の営業時間が「１１：００〜１２：００」であるとすると、計時手段１４から取得された時刻が１１：３０であれば、図７（ａ）に示すように、施設Ａおよび施設Ｂの全てが表示され、時刻が１０：３０であれば、図７（ｂ）に示すように、施設Ａのうちの店舗３１および店舗３２（営業時間外の」店舗）を除く店舗が表示され、時刻が１２：３０であれば、図４（ｃ）に示すように、施設Ｂのみが表示されるというように、時間帯および施設の営業時間に応じて異なる施設が表示される。
【００４３】
以上説明したように、この発明の実施の形態２に係る施設情報提供装置によれば、ユーザが設定した表示条件を満足する施設のうち、さらに営業時間中の施設のみを表示させるようにしたので、図７（ｂ）に示すように、ユーザがその時点で実際に利用可能な施設のみが表示される。したがって、上述した実施の形態１に係る施設情報提供装置よりも使い勝手が向上する。
【００４４】
実施の形態３．
この発明の実施の形態３に係る施設情報提供装置は、気象状態に応じて表示する施設を変更するようにしたものである。
【００４５】
図８は、この発明の実施の形態３に係る施設情報提供装置の機能的な構成を示すブロック図である。この施設情報提供装置は、実施の形態１に係る施設情報提供装置における施設表示期間設定手段１２が施設気象条件設定手段１８に置き換えられ、計時手段１４が気象情報取得手段１９に置き換えられて構成されている。以下、実施の形態１に係る施設情報提供装置と異なる部分を中心に説明する。
【００４６】
施設気象条件設定手段１８は、ユーザが、表示制御の対象とする施設およびその施設を表示させる気象条件を設定するために使用される。ここで設定する気象条件としては、例えば「晴れ」、「雨」、「雪」、「積雪量」などを用いることができる。この施設気象条件設定手段１８によって設定された施設および気象条件を表すデータは、切替手段１３を介して、システム制御手段１５に送られる。
【００４７】
象情報取得手段１９は、例えば、放送されている現在の気象情報を取得する。この象情報取得手段１９で取得された全国または地方の気象情報は、システム制御手段１５に送られる。
【００４８】
次に、上記のように構成される、この発明の実施の形態３に係る施設情報提供装置において実行される施設情報提供処理を、図９に示すフローチャートを参照しながら説明する。なお、以下では、切替手段１３は、閉成されており、施設気象条件設定手段１８とシステム制御手段１５との間は接続されているものとする。また、実施の形態１に係る施設情報提供装置で実行される施設情報提供処理（図３のフローチャートを参照）と同じ処理ステップには、同一の符号を付して説明を簡略化する。
【００４９】
施設情報提供処理では、まず、気象条件の設定が行われる（ステップＳＴ３１）。すなわち、施設気象条件設定手段１８は、ユーザの操作に応じて、表示制御の対象とする施設と、その施設を表示する条件となる気象状態を表すデータを生成し、切替手段１３を経由してシステム制御手段１５に送る。これにより、システム制御手段１５の内部に、施設および気象条件が設定される。このステップＳＴ３１では、ユーザは、例えば施設としてスキー場、その気象条件として積雪量５０ｃｍ以上と設定する。
【００５０】
次いで、気象情報の取得が行われる（ステップＳＴ３２）。すなわち、システム制御手段１５は、気象情報取得手段１９から、その時点の気象状態を表すデータを取得する。次いで、施設データが取得される（ステップＳＴ１３）。次いで、ステップＳＴ１３で取得された施設データによって表される施設が表示されるべき施設であるかどうかが調べられる（ステップＳＴ３３）。具体的には、システム制御手段１５は、メインメモリ１０４に格納されている施設データを取り出し、この取り出した施設データが、ステップＳＴ３１において設定された施設に該当するかどうかを調べる。そして、該当することを判断した場合は、気象情報取得手段１９から取得した気象情報が、ステップＳＴ３１で設定された気象条件に合致するかどうか、例えば、気象情報によって示される積雪量が５０ｃｍ以上であるかどうかを調べる。
【００５１】
上記ステップＳＴ３３において、表示すべき施設である、つまり積雪量が５０ｃｍ以上であることが判断されると、施設表示情報フラグがＯＮに設定される（ステップＳＴ１５）。一方、上記ステップＳＴ１４において、表示すべき施設でない、積雪量が５０ｃｍ未満であることが判断されると、施設表示情報フラグがＯＦＦに設定される（ステップＳＴ１６）。次いで、施設情報が出力される（ステップＳＴ１７）。これにより、施設情報表示手段１６の画面に、ステップＳＴ３１で設定された気象条件を満足する施設のアイコンのみが地図上に重ねて表示される。
【００５２】
以上説明したように、この発明の実施の形態３に係る施設情報提供装置によれば、ユーザは、気象条件を設定することによって表示させる施設を変更できるので、ユーザが所望する施設のみを選択的に表示させることができる。その結果、すべての施設が表示されることによって表示内容が煩雑になるという問題を解消できる。
【００５３】
実施の形態４．
この発明の実施の形態４に係る施設情報提供装置は、実施の形態１〜３に係る施設情報提供装置の各々が有する機能を纏めて１台の施設情報提供装置を構成したものである。
【００５４】
図１０は、この発明の実施の形態４に係る施設情報提供装置の機能的な構成を示すブロック図である。この施設情報提供装置は、施設情報取得手段１１、施設表示期間設定手段１２、切替手段１３、計時手段１４、システム制御手段１５、施設情報表示手段１６、施設営業時間取得手段１７、施設気象条件設定手段１８および気象情報取得手段１９から構成されている。各構成要素の機能および動作は、上述した実施の形態１〜３に係る施設情報提供装置のそれらと同じである。
【００５５】
上記のように構成される施設情報提供装置の動作は、上述した実施の形態１〜３に係る施設情報提供装置の動作と同じである。すなわち、施設表示期間設定手段１２および施設気象条件設定手段１８で設定した条件と、計時手段１４で取得された年、月、日、時刻および曜日を表すデータ、施設営業時間取得手段１７で取得された営業時間データおよび気象情報取得手段１９で取得された気象情報とを比較し、条件が合致する施設のみ表示する。これにより、ユーザが所望する施設のみ表示することができる。
【００５６】
なお、この実施の形態４に係る施設情報提供装置は、実施の形態１〜３に係る施設情報提供装置の各機能を纏めて構成したが、実施の形態１に係る施設情報提供装置と実施の形態３に係る施設情報提供装置との各機能を纏めて施設情報提供装置を構成することもでき、また、実施の形態２に係る施設情報提供装置と実施の形態３に係る施設情報提供装置との各機能を纏めて施設情報提供装置を構成することもできる。
【図面の簡単な説明】
【００５７】
【図１】この発明の実施の形態１に係る施設情報提供装置の機能的な構成を示すブロック図である。
【図２】図１に示した施設情報提供装置を実現するためのハードウェア構成を示すブロック図である。
【図３】この発明の実施の形態１に係る施設情報提供装置において実行される施設情報提供処理を示すフローチャートである。
【図４】この発明の実施の形態１に係る施設情報提供装置の動作を説明するための図である。
【図５】この発明の実施の形態２に係る施設情報提供装置の機能的な構成を示すブロック図である。
【図６】この発明の実施の形態２に係る施設情報提供装置において実行される施設情報提供処理を示すフローチャートである。
【図７】この発明の実施の形態２に係る施設情報提供装置の動作を説明するための図である。
【図８】この発明の実施の形態３に係る施設情報提供装置の機能的な構成を示すブロック図である。
【図９】この発明の実施の形態３に係る施設情報提供装置において実行される施設情報提供処理を示すフローチャートである。
【図１０】この発明の実施の形態４に係る施設情報提供装置の機能的な構成を示すブロック図である。
【符号の説明】
【００５８】
１１  施設情報取得手段、１２  施設表示期間設定手段、１３  切替手段、１４  計時手段、１５  システム制御手段、１６  施設情報表示手段、１７  施設営業時間取得手段、１８  施設気象条件設定手段、１９  気象情報取得手段、１００  記憶装置、１０１  入力装置、１０２  時計機構、１０３  演算装置、１０４  メインメモリ、１０５  出力装置。
【図１】
2007128344.tif 000003
【図２】
2007128344.tif 000004
【図３】
2007128344.tif 000005
【図４】
2007128344.tif 000006
【図５】
2007128344.tif 000007
【図６】
2007128344.tif 000008
【図７】
2007128344.tif 000009
【図８】
2007128344.tif 000010
【図９】
2007128344.tif 000011
【図１０】
2007128344.tif 000012